(57)【要約】【課題】新たな火災警報器を追加登録する際の登録処理に要する時間及び手間を省いて作業性を向上させることのできる火災警報システムを提供する。【解決手段】新たな火災警報器ＴＲを追加登録する際に、既存のシステムに属する何れか１台の火災警報器ＴＲの操作入力受付部６において登録用スイッチを操作するとともに、新たな火災警報器ＴＲの操作入力受付部６において登録要求用スイッチを操作すると、登録処理を行う火災警報器ＴＲの制御部１は、新たな火災警報器ＴＲの識別符号を既存の登録情報に追加する登録処理が終了した後に新たな登録情報を含む無線信号を無線送受信部２からマルチキャストで送信させ、他の全ての火災警報器ＴＲにも新たな登録情報を記憶させる。【選択図】図１
2011065261.tif 000002
【特許請求の範囲】
【請求項１】
電波を媒体とする無線信号を送受信する複数の火災警報器から成り、各火災警報器は、火災を感知する火災感知手段と、火災警報を報知する警報手段と、無線信号を送受信する無線送受信手段と、火災感知手段で火災を感知したときに警報手段に火災警報を報知させるとともに他の火災警報器に火災警報を報知させるための火災警報メッセージを含む無線信号を無線送受信手段から送信させ、且つ他の火災警報器から送信される無線信号を受信して火災警報メッセージを受け取った時に警報手段に火災警報を報知させる制御手段とを備え、各火災警報器はそれぞれ互いに異なる固有の識別符号を有する火災警報システムであって、各火災警報器は、所定の操作入力を受け付けると自身を含む全ての火災警報器の識別符号を登録情報として自身に記憶させる登録処理を制御手段に行わせる登録手段と、所定の操作入力を受け付けると自身の識別符号を登録するように要求する登録要求手段とを備え、既存のシステムに属する何れか１台の火災警報器の登録手段において所定の操作入力が受け付けられるとともに、新たな火災警報器の登録要求手段において所定の操作入力が受け付けられると、登録処理を行う火災警報器の制御手段は、登録処理が終了した後に新たな火災警報器の識別符号を含めた新たな登録情報を他の全ての火災警報器にも記憶させることを特徴とする火災警報システム。
【請求項２】
前記登録処理を行う火災警報器の制御手段は、登録処理が終了すると新たな登録情報を含む無線信号を無線送受信手段から他の全ての火災警報器に一斉に送信させ、他の全ての火災警報器の各制御手段は、当該無線信号を受信すると新たな登録情報を自身に記憶させることを特徴とする請求項１記載の火災警報システム。
【請求項３】
前記登録処理を行う火災警報器の制御手段は、登録処理が終了すると新たな登録情報を含む無線信号を無線送受信手段から予め設定された順番における自身の後続の火災警報器に送信させ、後続の火災警報器の制御手段は、当該無線信号を受信すると新たな登録情報を自身に記憶させるとともに、当該無線信号を無線送受信手段から予め設定された順番における自身の後続の火災警報器に中継送信させることを特徴とする請求項１記載の火災警報システム。
【請求項４】
前記順番は、登録処理を行う火災警報器に登録された他の全ての火災警報器各々の識別符号に基づいて設定されることを特徴とする請求項３記載の火災警報システム。
【請求項５】
前記順番は、登録処理を行う火災警報器の制御手段によってランダムに設定されることを特徴とする請求項３記載の火災警報システム。
【発明の詳細な説明】
【技術分野】
【０００１】
本発明は、複数の火災警報器が電波を媒体とする無線信号を送受信するようにした火災警報システムに関する。
【背景技術】
【０００２】
従来から、住宅火災による犠牲者を減らすことを目的として住宅への火災警報器の設置が義務付けられており、既存住宅への施工性の観点から無線信号を利用して複数の火災警報器を連動させる火災警報システムが提供されている。このような火災警報システムは、多箇所に設置された複数台の火災警報器が各々火災を感知する機能と警報音を鳴動する機能とを有しており、何れかの火災警報器が火災を感知すると、当該火災警報器が警報音を鳴動するとともに火災感知を知らせる情報を無線信号で他の火災警報器に伝送することにより、火元の火災警報器だけでなく複数台の火災警報器が連動して一斉に警報音を鳴動することにより、火災の発生を迅速且つ確実に知らせることができる。
【０００３】
また、システムに属する火災警報器のうち特定の火災警報器を親器とし、その他の火災警報器を子器として親器から各子器に火災警報メッセージやその他のメッセージをマルチキャスト送信することで、相互に通信パスが確立できない子器が存在する場合でも確実に火災連動させることができる火災警報システムが知られており、例えば特許文献１に開示されている。
【先行技術文献】
【特許文献】
【０００４】
【特許文献１】国際公開第２００８／０８８０７９号
【発明の概要】
【発明が解決しようとする課題】
【０００５】
ところで、上記のように親器及び子器を設定する火災警報システムの他に、機能や形状、デザインが同一である複数の火災警報器から成り親器と子器との区別の無い火災警報システムが知られている。このような火災警報システムでは、上記の火災警報システムの親器のような火災警報器が存在しないため、全ての火災警報器が各々システムに属する全ての火災警報器の識別符号を登録した登録情報を記憶する必要がある。
【０００６】
しかしながら、従来では全ての火災警報器で各々登録情報を記憶させるために各火災警報器で登録処理を行う必要がある。このため、新たな火災警報器を追加登録する際には、新たな火災警報器の識別符号を含めた新たな登録情報を記憶させるために各火災警報器で登録処理を新たに行う必要があり、登録処理に要する時間が長くなるとともに非常に手間がかかるという問題があった。
【０００７】
本発明は、上記の点に鑑みて為されたもので、新たな火災警報器を追加登録する際の登録処理に要する時間及び手間を省いて作業性を向上させることのできる火災警報システムを提供することを目的とする。
【課題を解決するための手段】
【０００８】
請求項１の発明は、上記目的を達成するために、電波を媒体とする無線信号を送受信する複数の火災警報器から成り、各火災警報器は、火災を感知する火災感知手段と、火災警報を報知する警報手段と、無線信号を送受信する無線送受信手段と、火災感知手段で火災を感知したときに警報手段に火災警報を報知させるとともに他の火災警報器に火災警報を報知させるための火災警報メッセージを含む無線信号を無線送受信手段から送信させ、且つ他の火災警報器から送信される無線信号を受信して火災警報メッセージを受け取った時に警報手段に火災警報を報知させる制御手段とを備え、各火災警報器はそれぞれ互いに異なる固有の識別符号を有する火災警報システムであって、各火災警報器は、所定の操作入力を受け付けると自身を含む全ての火災警報器の識別符号を登録情報として自身に記憶させる登録処理を制御手段に行わせる登録手段と、所定の操作入力を受け付けると自身の識別符号を登録するように要求する登録要求手段とを備え、既存のシステムに属する何れか１台の火災警報器の登録手段において所定の操作入力が受け付けられるとともに、新たな火災警報器の登録要求手段において所定の操作入力が受け付けられると、登録処理を行う火災警報器の制御手段は、登録処理が終了した後に新たな火災警報器の識別符号を含めた新たな登録情報を他の全ての火災警報器にも記憶させることを特徴とする。
【０００９】
請求項２の発明は、請求項１の発明において、登録処理を行う火災警報器の制御手段は、登録処理が終了すると新たな登録情報を含む無線信号を無線送受信手段から他の全ての火災警報器に一斉に送信させ、他の全ての火災警報器の各制御手段は、当該無線信号を受信すると新たな登録情報を自身に記憶させることを特徴とする。
【００１０】
請求項３の発明は、請求項１の発明において、登録処理を行う火災警報器の制御手段は、登録処理が終了すると新たな登録情報を含む無線信号を無線送受信手段から予め設定された順番における自身の後続の火災警報器に送信させ、後続の火災警報器の制御手段は、当該無線信号を受信すると新たな登録情報を自身に記憶させるとともに、当該無線信号を無線送受信手段から予め設定された順番における自身の後続の火災警報器に中継送信させることを特徴とする。
【００１１】
請求項４の発明は、請求項３の発明において、順番は、登録処理を行う火災警報器に登録された他の全ての火災警報器各々の識別符号に基づいて設定されることを特徴とする。
【００１２】
請求項５の発明は、請求項３の発明において、順番は、登録処理を行う火災警報器の制御手段によってランダムに設定されることを特徴とする。
【発明の効果】
【００１３】
本発明によれば、新たな火災警報器を追加登録する際に、既存のシステムに属する何れか１台の火災警報器で登録処理を行うだけで当該処理で得られた新たな登録情報を全ての火災警報器が記憶することができるので、１台ずつ全ての火災警報器で新たな火災警報器の識別符号を登録させる登録処理を行う場合と比較して登録処理に要する時間及び手間を省くことができ、作業性を向上させることができる。
【図面の簡単な説明】
【００１４】
【図１】本発明に係る火災警報システムの実施形態１を示す図で、（ａ）は概略図で、（ｂ）は火災警報器のブロック図である。
【図２】同上における無線信号のフレームフォーマットである。
【図３】同上の登録処理を示すタイムチャート図である。
【図４】本発明に係る火災警報システムの実施形態２を示す図で、（ａ）は概略図で、（ｂ）は登録処理を示すタイムチャート図である。
【発明を実施するための形態】
【００１５】
以下、本発明に係る火災警報システムの実施形態１について図面を用いて説明する。但し、以下の説明では、火災警報器ＴＲ１〜ＴＲ６を総括して示す場合には火災警報器ＴＲと表記するものとする。本実施形態は、図１（ａ）に示すように、複数（本実施形態では５台）の火災警報器ＴＲ１〜ＴＲ５を備え、これら複数の火災警報器ＴＲの間で電波を媒体とする無線信号を伝送するものであって、この既存のシステムに新たな火災警報器（ここでは火災警報器ＴＲ６）を追加登録する際の登録処理に特徴がある。
【００１６】
火災警報器ＴＲは、図１（ｂ）に示すように、送信元アドレス及び宛先アドレス、並びに各種メッセージを含む無線信号をアンテナ３を介して送受信する無線送受信部２（無線送受信手段）と、火災を感知する火災感知部４（火災感知手段）と、火災時や異常時に警報音をスピーカから鳴動する等して利用者に報知する警報部５（警報手段）と、マイコンや書換可能な不揮発性メモリ（例えば、ＥＥＰＲＯＭ等）を主構成要素とし、火災感知部４で火災を感知した時に警報部５に警報音を鳴動させるとともに、他の火災警報器ＴＲに対して火災警報を報知させるための火災警報メッセージを含む無線信号を無線送受信部２より送信させる制御部１（制御手段）と、警報音の鳴動を停止するための操作入力等を受け付ける操作入力受付部６と、乾電池等の電池を電源として各部に動作電源を供給する電源部７とを具備している。尚、各火災警報器ＴＲには固有の識別符号が割り当てられており、当該識別符号によって無線信号の宛先並びに送信元の火災警報器ＴＲを特定することができる。
【００１７】
無線送受信部２は、電波法施行規則第６条第４項第３号に規定される「小電力セキュリティシステムの無線局」に準拠して電波を媒体とする無線信号を送受信するものである。また、火災感知部４は、例えば火災に伴って発生する煙や熱、炎等を検出することで火災を感知するものである。尚、無線送受信部２及び火災感知部４は従来周知であるので、ここでは詳細な説明を省略する。
【００１８】
制御部１は、メモリに格納されたプログラムをマイコンで実行することによって後述する各種機能を実現する。火災感知部４で火災の発生が感知されると、制御部１は警報部５が備えるブザーを駆動して警報音を鳴動させる、或いは予めメモリ等に格納されている警報用の音声メッセージ（例えば、「火事です」等）をスピーカに鳴動させることで火災警報を報知するとともに、他の火災警報器ＴＲにおいても火災警報を報知させるために火災警報メッセージを含む無線信号を無線送受信部２より送信させる。また、他の火災警報器ＴＲから送信された無線信号を無線送受信部２で受信することにより火災警報メッセージを受け取った場合でも、制御部１は警報部５を制御して警報音を鳴動させる。
【００１９】
操作入力受付部６は、例えば押釦やディップスイッチ等の複数のスイッチを有しており、スイッチが操作されることで各スイッチに対応した操作入力を受け付けるとともに、当該操作入力に対応した操作信号を制御部１に出力する。また、操作入力受付部６には、押操作やスライド操作などの所定の操作入力を受け付けると、他の全ての火災警報器ＴＲの識別符号を自身に記憶させる登録処理を制御部１に行わせる操作信号を出力する登録用スイッチ（図示せず）が設けられている。即ち、登録用スイッチと制御部１とで登録手段が構成されている。
【００２０】
また、操作入力受付部６には、押操作やスライド操作などの所定の操作入力を受け付けると、自身の識別符号を登録するように要求する登録要求メッセージを含む無線信号を無線送受信部２からマルチキャストで送信する処理を制御部１に行わせる操作信号を出力する登録要求用スイッチ（図示せず）が設けられている。即ち、登録用要求用スイッチと制御部１とで登録要求手段が構成されている。尚、登録要求用スイッチを登録用スイッチと兼用し、例えば押操作している時間が所定時間内であれば登録用スイッチとして機能し、所定時間以上であれば登録要求用スイッチとして機能するように構成してもよい。
【００２１】
図２は火災警報器ＴＲが送受信する無線信号のフレームフォーマットを示しており、同期ビット（プリアンブル：ＰＡ）、フレーム同期パターン（ユニークワード：ＵＷ）、宛先アドレスＤＡ、送信元アドレスＳＡ、メッセージＭ、ＣＲＣ符号で１フレームが構成されている。ここで、宛先アドレスＤＡとして各火災警報器ＴＲの識別符号を設定すれば当該識別符号の火災警報器ＴＲのみが無線信号を受信してメッセージを取得することになるが、宛先アドレスＤＡとして何れの火災警報器ＴＲにも割り当てられていない特殊なビット列（例えば、全てのビットを１としたビット列）を設定することで、無線信号をマルチキャストで送信して通信範囲内にある全ての火災警報器ＴＲにメッセージを取得させることができる。
【００２２】
以下、本実施形態の新たな火災警報器ＴＲを追加登録する際の登録処理について図３を用いて説明する。尚、以下の説明は、火災警報器ＴＲ１〜ＴＲ５については既に登録処理が完了していることを前提とする。例えば、火災警報器ＴＲ６を新たに追加登録する場合、先ず既存のシステムに属する何れか１台の火災警報器（ここでは、火災警報器ＴＲ１）の操作入力受付部６において登録用スイッチを操作する。すると、火災警報器ＴＲ１の制御部１は、通信範囲内にある火災警報器ＴＲからの登録要求を受け付ける登録モードに移行させる。
【００２３】
火災警報器ＴＲ１が登録モードにある状態で、火災警報器ＴＲ６の操作入力受付部６において登録要求用スイッチが操作されると、当該火災警報器ＴＲ６の制御部１は、登録要求メッセージを含む無線信号を無線送受信部２からマルチキャストで送信させる。そして、登録モードにある火災警報器ＴＲ１の制御部１は、当該無線信号を受信すると登録要求メッセージに含まれる火災警報器ＴＲ６の識別符号を既に有する登録情報に追加して自身に記憶させるとともに、自身の識別符号とともに登録要求を受け付けた旨を知らせる応答メッセージ（ＡＣＫ）を含む無線信号を無線送受信部２から火災警報器ＴＲ６にユニキャストで送信させる。火災警報器ＴＲ６の制御部１は、当該無線信号を受信すると火災警報器ＴＲ１の識別符号を自身に記憶させる。
【００２４】
その後、登録モードに移行してから一定時間Ｔが経過すると、登録処理を行った火災警報器ＴＲ１の制御部１は、火災警報器ＴＲ６の識別符号を含んだ新たな登録情報を含む無線信号を無線送受信部２から他の全ての火災警報器ＴＲ２〜ＴＲ６にマルチキャストで送信させる。このとき、火災警報器ＴＲ１は登録モードを続けていても終了していても何れでも構わない。そして、他の火災警報器ＴＲ２〜ＴＲ６の各制御部１は、当該無線信号を受信すると新たな登録情報、即ち、新たな火災警報器ＴＲ６の識別符号を含んだシステムに属する全ての火災警報器ＴＲの識別符号を自身に記憶させるとともに、新たな登録情報を受け取った旨を知らせるＡＣＫを含む無線信号を無線送受信部２から火災警報器ＴＲ１に返信させる。而して、システムに属する全ての火災警報器ＴＲ１〜ＴＲ６が新たな登録情報をそれぞれ記憶することができる。
【００２５】
上述のように、新たな火災警報器ＴＲを追加登録する際に、既存のシステムに属する何れか１台の火災警報器ＴＲで登録処理を行うだけで当該処理で得られた新たな登録情報、即ち、新たな火災警報器ＴＲの識別符号を含むシステムに属する全ての火災警報器ＴＲの識別符号を全ての火災警報器ＴＲがそれぞれ記憶することができるので、１台ずつ全ての火災警報器ＴＲで新たな火災警報器ＴＲの識別符号を登録させる登録処理を行う場合と比較して登録処理に要する時間及び手間を省くことができ、作業性を向上させることができる。また、登録処理を行った火災警報器ＴＲから他の全ての火災警報器ＴＲへ新たな登録情報を含む無線信号をマルチキャストで一斉に送信することで、登録処理に要する時間を短縮することができる。
【００２６】
尚、本実施形態では、登録モードに移行（登録処理を開始）した時点から一定時間Ｔが経過すると新たな登録情報を含む無線信号を他の全ての火災警報器ＴＲにマルチキャストで送信するようにしているが、例えば、登録処理を行う火災警報器ＴＲの操作入力受付部６において登録用スイッチを再度操作して登録処理の終了操作を受付けるまで新たな登録情報を含む無線信号の送信を行わないようにしてもよい。
【００２７】
（実施形態２）
以下、本発明に係る火災警報システムの実施形態２について図面を用いて説明する。但し、本実施形態の基本的な構成は実施形態１と共通であるので、以下の説明では共通する部位には同一の番号を付して説明を省略する。本実施形態は、図４（ａ），（ｂ）に示すように、登録処理を行う火災警報器ＴＲの制御部１が、登録処理が終了すると新たな登録情報を含む無線信号を無線送受信部２から予め設定された順番における自身の後続の火災警報器ＴＲに送信させ、後続の火災警報器ＴＲの制御部１が、当該無線信号を受信すると新たな登録情報を自身に記憶させるとともに、当該無線信号を無線送受信部２から予め設定された順番における自身の後続の火災警報器ＴＲに中継送信させることを特徴とする。
【００２８】
以下、本実施形態の登録処理について図４（ｂ）を用いて説明する。尚、以下の説明では、新たな登録情報を含む無線信号を火災警報器ＴＲ１、ＴＲ２、ＴＲ３、ＴＲ４、ＴＲ５，ＴＲ６の順番で送信又は中継送信するように予め設定されているものとする。例えば、新たな火災警報器ＴＲ６を火災警報器ＴＲ１を介して追加登録する場合、実施形態１と同様の登録処理を行うことで、火災警報器ＴＲ１の制御部１は火災警報器ＴＲ６の識別符号を既に有する登録情報に追加して自身に記憶させる。その後、登録モードに移行してから一定時間Ｔが経過すると、登録処理を行った火災警報器ＴＲ１の制御部１は、火災警報器ＴＲ６の識別符号を含んだ新たな登録情報を含む無線信号を無線送受信部２から自身の後続の火災警報器ＴＲ２にユニキャストで送信させる。
【００２９】
火災警報器ＴＲ２の制御部１は、新たな登録情報を含む無線信号を受信すると、新たな登録情報を自身に記憶させ、且つ新たな登録情報を受け取った旨を知らせるＡＣＫを含む無線信号を無線送受信部２から送信元の火災警報器ＴＲ１に返信させるとともに、新たな登録情報を含む無線信号を無線送受信部２から自身の後続の火災警報器ＴＲ３にユニキャストで中継送信させる。以下、後続の火災警報器ＴＲ３〜ＴＲ６においても上記と同様の処理を行うことで、システムに属する全ての火災警報器ＴＲ１〜ＴＲ６が新たな登録情報をそれぞれ記憶することができる。
【００３０】
上述のように、本実施形態では、新たな火災警報器ＴＲを追加登録する際に、新たな登録情報を含む無線信号を予め設定された順番で各火災警報器ＴＲに送信又は中継送信するので、新たな登録情報を受け取った旨を知らせるＡＣＫを含む無線信号が送信元の火災警報器ＴＲに対して一斉に送信されることがない。したがって、各火災警報器ＴＲからのＡＣＫを含む無線信号が互いに干渉することがなく、確実に新たな登録情報を受け取った旨を送信元の火災警報器ＴＲに知らせることができる。
【００３１】
尚、新たな登録情報を含む無線信号を送信する順番は、登録処理を行う火災警報器ＴＲの制御部１が、自身に登録された他の全ての火災警報器ＴＲ各々の識別符号に基づいて設定してもよく、また、ランダムに設定してもよい。
【００３２】
また、本実施形態では、登録モードに移行（登録処理を開始）した時点から一定時間Ｔが経過すると新たな登録情報を含む無線信号を次の火災警報器ＴＲにユニキャストで送信するようにしているが、実施形態１と同様に、登録処理を行う火災警報器ＴＲの操作入力受付部６において登録用スイッチを再度操作して登録処理の終了操作を受付けるまで新たな登録情報を含む無線信号の送信を行わないようにしてもよい。
【符号の説明】
【００３３】
１  制御部（制御手段、登録手段、登録要求手段）
２  無線送受信部（無線送受信手段）
４  火災感知部（火災感知手段）
５  警報部（警報手段）
６  操作入力受付部（登録手段、登録要求手段）
【図１】
2011065261.tif 000003
【図２】
2011065261.tif 000004
【図３】
2011065261.tif 000005
【図４】
2011065261.tif 000006